(57)【要約】【課題】  特に、第１及び第２処理室において回路板の表，裏面に対しエッチング処理を施す場合において、回路板の移送時に、回転軸及び挟持体により回路板を１８０度反転させることにより、第１及び第２処理室において回路板の表，裏面に対し良好なエッチング処理を施す回路板を反転できる装置を提供する。【解決手段】  本考案は、回路板４０に薬液を噴出することによりエッチング処理を施す第１処理室１０及び第２処理室２０を有し、それらの間に反転室３０が設けられると共に、それらの内部にそれぞれ所定の間隔で前後方向に複数のローラー１３，２１が並列に配列され、更に第１処理室１０における内壁１１の底部にセンサー１２が設けられると共に、反転室３０の内部に回転軸３１が設けられ、回転軸３１上の軸方向に複数の挟持体３２が並列に配置され、挟持体３２の前後部にそれぞれ挟持部３３，３４が形成されることを特徴とする。【選択図】  図１
0003123187.tif 000002
【実用新案登録請求の範囲】
【請求項１】
回路板４０に薬液を噴出することによりエッチング処理を施す第１処理室１０及び第２処理室２０を有し、該第１処理室１０と第２処理室２０との間に反転室３０が設けられると共に、該第１処理室１０及び第２処理室２０の内部にそれぞれ所定の間隔で前後方向に複数のローラー１３，２１が並列に配列される回路板を反転できる装置であって、
前記第１処理室１０における内壁１１の底部にセンサー１２が設けられると共に、前記反転室３０の内部に回転軸３１が設けられ、該回転軸３１上の軸方向に所定の間隔で複数の挟持体３２が並列に配置され、該挟持体３２の前後部にそれぞれ挟持部３３，３４が形成され、
前記回路板４０の表面に第１処理室１０内において薬液によるエッチング処理が施されると、ローラー１３により後方に移送され、センサー１２により感知されると、該回路板４０が挟持体３２の挟持部３３内の所定の深さまで進入し、その後、回転軸３１の回転により該回路板４０が１８０度反転し、第２処理室２０におけるローラー２１上に定置されると、該ローラー２１の回転により後部方向へ移動しながら、回路板４０の裏面に薬液によるエッチング処理が施されることを特徴とする回路板を反転できる装置。
【請求項２】
前記挟持部３３，３４の開口がＶ字形を呈することを特徴とする請求項１に記載の回路板を反転できる装置。
【請求項３】
前記回路板４０の挟持部３３，３４への進入深度は、該回路板４０の幅の半分であることを特徴とする請求項１に記載の回路板を反転できる装置。
【考案の詳細な説明】
【技術分野】
【０００１】
本考案は、特に、第１及び第２処理室において回路板の表，裏面に対しエッチング処理を施す場合において、回路板の移送時に、回転軸及び挟持体により回路板を１８０度反転させることにより、第１及び第２処理室において回路板の表，裏面に対し良好なエッチング処理を施すことができるようにした回路板を反転できる装置に関するものである。
【背景技術】
【０００２】
従来の回路板に対するエッチング装置は、ローラーを移送する一組のローラーを有し、該ローラーの上，下側にそれぞれ薬液を噴出するためのノズルを配置することにより、回路板に対してエッチング処理を施すものであった。
【考案の開示】
【考案が解決しようとする課題】
【０００３】
しかしながら、前記従来のエッチング装置は、単にローラーのみにより回路板を前部側から後部側に移送するものであり、下層のノズルで回路板に対し薬液を噴出した時には、回路板に吹き付けられた薬液が重力の影響を受けて滴下し易くなるので、薬液を回路板の底面に留めることが難しい。一方、上層のノズルで回路板の表面に対し薬液を噴出する時は、先ず第１処理室で第１の薬液を回路板の表面に吹き付けるが、その後、第２処理室で第２の薬液を吹き付ける際に、最初に吹き付けた余分な第１の薬液が回路板の表面から除去されないので、良好なエッチング効果が得られないといった問題があった。
【課題を解決するための手段】
【０００４】
本考案の請求項１は、回路板４０を薬液を噴出することによりエッチング処理を施す第１処理室１０及び第２処理室２０を有し、該第１処理室１０と第２処理室２０との間に反転室３０が設けられると共に、該第１処理室１０及び第２処理室２０の内部にそれぞれ所定の間隔で前後方向に複数のローラー１３，２１が並列に配列される回路板を反転できる装置であって、前記第１処理室１０における内壁１１の底部にセンサー１２が設けられると共に、前記反転室３０の内部に回転軸３１が設けられ、該回転軸３１上の軸方向に所定の間隔で複数の挟持体３２が並列に配置され、該挟持体３２の前後部にそれぞれ挟持部３３，３４が形成され、前記回路板４０の表面に第１処理室１０内において薬液によるエッチング処理が施されると、ローラー１３により後部方向に移送され、センサー１２により感知されると、該回路板４０が挟持体３２の挟持部３３内の所定の深さまで進入し、その後、回転軸３１の回転により該回路板４０が１８０度反転し、第２処理室２０におけるローラー２１上に定置されると、該ローラー２１の回転により後部方向へ移動しながら、回路板４０の裏面に薬液によるエッチング処理が施されることを特徴とする。
本考案の請求項２は、請求項１に記載の回路板を反転できる装置において、前記挟持部３３，３４の開口がV字形を呈することを特徴とする。
本考案の請求項３は、請求項１に記載の回路板を反転できる装置において、前記回路板４０の挟持部３３，３４への進入深度は、該回路板４０の幅の半分であることを特徴とする。
【考案の効果】
【０００５】
本考案は上記の課題を解決するものであり、回路板に薬液を噴出することによりエッチング処理を施す第１処理室及び第２処理室を有し、該第１処理室と第２処理室との間に反転室が設けられると共に、該第１処理室及び第２処理室の内部にそれぞれ所定の間隔で前後方向に複数のローラーが並列に配列され、
更に、前記第１処理室における内壁の底部にセンサーが設けられると共に、前記反転室の内部に回転軸が設けられ、該回転軸上の軸方向に複数の挟持体が並列に配置され、該挟持体の前後部にそれぞれ挟持部が形成された構成としたので、回路板を後側へ移送する時、回転軸及び挟持体により回路板を１８０度反転させて、第１及び第２処理室において回路板の表裏面に対し良好なエッチング処理を施すことができる。
【考案を実施するための最良の形態】
【０００６】
以下、添付図面を参照して本考案の好適な実施の形態を詳細に説明する。
【実施例】
【０００７】
図１は本考案に係る回路板を反転できる装置を備えたエッチング装置の斜視図であり、図２は本考案の一実施例に係る回路板を反転できる装置を備えたエッチング装置において、回路板が前側から後側へ移送される状態を示す側面断面図であり、図３は本考案に係る回路板を反転できる装置を備えたエッチング装置において、回路板が反転室における挟持体の挟持部内に進入し挟持された状態を示す側面断面図であり、図４は本考案に係る回路板を反転できる装置を備えたエッチング装置において、回路板が反転室における挟持体により反転する状態を示す側面断面図である。
【０００８】
以下、本考案に係る回路板を反転できる装置を組み込んだエッチング装置について説明する。
図１に示すように、回路板４０に薬液を噴出することによりエッチング処理を施す第１処理室１０と第２処理室２０との間に本考案に係る反転機構である反転室３０が配置され、該第１処理室１０における内壁１１の底部にセンサー１２が設けられると共に、前記反転室３０の内部に回転軸３１が設けられ、該回転軸３１上の軸方向に所定の間隔で複数の挟持体３２が並列に配置される。
【０００９】
前記反転室３０の内部には回転軸３１が設けられ、該回転軸３１上の軸方向に所定の間隔で複数の挟持体３２が並列に配置され、該挟持体３２の前，後部にそれぞれ、開口がＶ字形を呈する挟持部３３，３４が形成されている。
【００１０】
図１乃至図４に示すように、前記構成においてエッチング装置を使用する時は、回路板４０が第１処理室１０内のローラー１３により後部方向へ移送され、センサー１２の感知エリアを通過した後、回路板４０の後半部が挟持体３２の前側におけるＶ字形を呈する挟持部３３の挟持内部に進入する。この状態を前記センサー１２が検知して、前記センサー１２からの信号により回転軸３１が時計回りに回転して、回路板４０が１８０度反転することにより、回路板４０が第２処理室２０におけるローラー２１上に水平に定置され、その後、該ローラー２１で後部方向へ移送され、ノズルから薬液が噴出されることにより、回路板４０に対してエッチング処理が施される。
【００１１】
また、上述したように、本考案の回路板を反転できる装置は、反転室３０内に挟持部３３，３４を有する挟持体３２が設けられることから、回路板４０が第１処理室１０を通過した後、回転軸３１及び挟持体３２により回路板４０が反転されて、第２処理室２０におけるローラー２１上に定置され、その後第２処理室２０に移送させて回路板に対して適切にエッチング処理が施されるので、本考案の回路板を反転できる装置をエッチング装置に組み合わせれば、回路板４０の表，裏面に対し良好なエッチング処理を施すことができる。
【００１２】
尚、上述した実施例は単に本考案の一部の実施例であり、本明細書に示す主張の範囲内であれば如何なる形態に構成させてもよく、また、容易に想到し得る範囲内であれば、当然本考案の実用新案登録請求の範囲に属することは言うまでもない。
【図面の簡単な説明】
【００１３】
【図１】本考案に係る回路板を反転できる装置の一実施例を示す要部斜視図である。
【図２】本考案に係る回路板を反転できる装置をエッチング装置に組み込んだ状態において、回路板が前部側から後部側へ移送される状態を示す縦断側面図である。
【図３】本考案に係る回路板を反転できる装置をエッチング装置に組み込んだ状態で、回路板が反転室における挟持体の挟持部内に進入し挟持された状態を示す縦断側面図である。
【図４】本考案に係る回路板を反転できる装置をエッチング装置に組み込んだ状態で、回路板が反転室における挟持体により反転する状態を示す縦断側面図である。
【符号の説明】
【００１４】
１０          第１処理室
１１          内壁
１２          センサー
１３          ローラー
２０          第２処理室
２１          ローラー
３０          反転室
３１          回転軸
３２          挟持体
３３，３４    挟持部
４０          回路板
【図１】
0003123187.tif 000003
【図２】
0003123187.tif 000004
【図３】
0003123187.tif 000005
【図４】
0003123187.tif 000006